(57)【要約】【課題】不良が減少されたフォールダブル表示装置を提供する。【解決手段】フォールダブル表示装置は、二つ以上の表示領域と二つの方向にフォールディングされる少なくとも一つのフォールディング領域を含む。前記表示装置は、第１表示領域、第２表示領域、及び前記第１表示領域と前記第２表示領域との間に配置され、第１フォールディング軸及び第２フォールディング軸が定義されたフォールディング領域を含む。前記フォールダブル表示装置は、前記第１フォールディング軸に基づいて前記二つの方向のうちのいずれか一つの方向にフォールディングされ、前記第２フォールディング軸に基づいて前記二つの方向のうちの他の一つの方向にフォールディングされる。【選択図】図１Ａ
2020095281.tif 000002
【特許請求の範囲】
【請求項１】
第１表示領域、第２表示領域、及び前記第１表示領域と前記第２表示領域との間に配置され、第１、第２、及び第３フォールディング軸が定義された第１フォールディング領域を含むフレキシブル表示パネルと、
前記フレキシブル表示パネルの前面に配置された第１外側部材と、
前記フレキシブル表示パネルの背面に配置された第２外側部材を含むフレキシブル表示モジュールと、を含み、
前記第１フォールディング軸は、前記第２フォールディング軸と前記第３フォールディング軸との間に定義され、前記フレキシブル表示モジュールは、前記第１フォールディング軸に基づいて二つの方向のうちのいずれか１つの方向にフォールディングされ、前記第２フォールディング軸及び前記第３フォールディング軸に基づいて、前記二つの方向のうちの他の１つの方向にフォールディングされ、
前記第１外側部材は、第１平坦面を提供する第１部分及び前記第１平坦面から突出され、前記第１、第２、及び第３フォールディング軸のうち、前記フレキシブル表示モジュールがフォールディングされる際に前記第１外側部材に引張力を印加するフォールディング軸に重畳する少なくとも１つの第２部分を含む、フォールダブル表示装置。
【請求項２】
前記第１表示領域、前記第２表示領域、及び前記第１フォールディング領域の各々は、表示面を含み、
前記第１表示領域の前記表示面と前記第２表示領域の前記表示面が外部に向くように前記フレキシブル表示モジュールが外側フォールディングされたとき、前記第１表示領域の前記表示面と前記第２表示領域の前記表示面は、イメージを表示することを特徴とする請求項１に記載のフォールダブル表示装置。
【請求項３】
前記第１フォールディング領域は、前記第１フォールディング軸に基づいて前記第１表示領域の前記表示面と前記第２表示領域の前記表示面が互いに対向するように内側フォールディングされるか、或いは前記第１フォールディング領域は、前記第２フォールディング軸及び前記第３フォールディング軸に基づいて前記第１表示領域の前記表示面と前記第２表示領域の前記表示面が外部に向くように外側フォールディングされることを特徴とする請求項２に記載のフォールダブル表示装置。
【請求項４】
前記第１フォールディング領域は、前記第２フォールディング軸及び前記第３フォールディング軸に基づいて前記第１表示領域の前記表示面と前記第２表示領域の前記表示面が互いに対向するように内側フォールディングされるか、或いは前記第１フォールディング領域は、前記第１フォールディング軸に基づいて前記第１表示領域の前記表示面と前記第２表示領域の前記表示面が外部に向くように外側フォールディングされることを特徴とする請求項２に記載のフォールダブル表示装置。
【請求項５】
前記フレキシブル表示パネルは、第３表示領域及び前記第２表示領域と第３表示領域との間に配置され、第４、第５、及び第６フォールディング軸が定義された第２フォールディング領域をさらに含み、
前記第４フォールディング軸は、前記第５フォールディング軸と前記第６フォールディング軸との間に定義され、前記フレキシブル表示モジュールは、前記第４フォールディング軸に基づいて前記二つの方向のうちのいずれか１つの方向にフォールディングされ、前記第５フォールディング軸及び前記第６フォールディング軸に基づいて前記二つの方向のうちの他の１つの方向にフォールディングされる請求項１に記載のフォールダブル表示装置。
【請求項６】
前記第１表示領域、前記第２表示領域、前記第３表示領域、前記第１フォールディング領域、及び前記第２フォールディング領域の各々は、表示面を含み、
前記第１表示領域の前記表示面、前記第２表示領域の前記表示面、及び前記第３表示領域の前記表示面の各々は、外部に露出されるとき、イメージを表示することを特徴とする請求項５に記載のフォールダブル表示装置。
【請求項７】
前記第１フォールディング領域は、前記第１フォールディング軸に基づいて前記第１表示領域の前記表示面と前記第２表示領域の前記表示面が互いに対向するように内側フォールディングされ、
前記第２フォールディング領域は、前記第５フォールディング軸及び前記第６フォールディング軸に基づいて前記第３表示領域の前記表示面と前記第２表示領域の前記表示面が互いに対向するように内側フォールディングされることを特徴とする請求項６に記載のフォールダブル表示装置。
【請求項８】
前記第１フォールディング領域は、前記第１フォールディング軸に基づいて前記第１表示領域の前記表示面と前記第２表示領域の前記表示面が互いに対向するように内側フォールディングされ、
前記第２フォールディング領域は、前記第４フォールディング軸に基づいて前記第３表示領域の前記表示面が外部に向くように外側フォールディングされることを特徴とする請求項６に記載のフォールダブル表示装置。
【請求項９】
外部に露出された前記第２フォールディング領域は、イメージを表示することを特徴とする請求項８に記載のフォールダブル表示装置。
【請求項１０】
前記第２外側部材は、第２平坦面を提供する第３部分及び前記第２平坦面から突出され、前記第１、第２、及び第３フォールディング軸のうち、前記フレキシブル表示モジュールがフォールディングされる際に前記第２外側部材に引張力を印加するフォールディング軸に重畳する少なくとも１つの第４部分を含む請求項１に記載のフォールダブル表示装置。
【請求項１１】
前記少なくとも１つの第２部分は、前記第１平坦面から突出された第２平坦面及び前記第１平坦面と前記第２平坦面を連結する傾斜面を含む請求項１０に記載のフォールダブル表示装置。
【請求項１２】
前記第１、第２、及び第３フォールディング軸と並び、前記少なくとも１つの第２部分に定義された複数個のグルーブをさらに含む請求項１０に記載のフォールダブル表示装置。
【請求項１３】
前記第１外側部材の前記少なくとも１つの第２部分は、前記第２フォールディング軸と前記第３フォールディング軸に各々重畳し、
前記第２外側部材は、第２平坦面を提供する第３部分及び前記第２平坦面から突出され、前記第１フォールディング軸に重畳する第４部分を含む請求項１に記載のフォールダブル表示装置。
【請求項１４】
第１表示領域、第２表示領域、及び前記第１表示領域と前記第２表示領域との間に配置され、第１、第２、及び第３フォールディング軸が定義された第１フォールディング領域を含むフレキシブル表示パネルと、
前記フレキシブル表示パネルの前面に配置された第１外側部材と、
前記フレキシブル表示パネルの背面に配置された第２外側部材を含むフレキシブル表示モジュールと、を含み、
前記第１フォールディング軸は、前記第２フォールディング軸と前記第３フォールディング軸との間に定義され、前記フレキシブル表示モジュールは、前記第１フォールディング軸に基づいて二つの方向のうちのいずれか１つの方向にフォールディングされ、前記第２フォールディング軸及び前記第３フォールディング軸に基づいて前記二つの方向のうちの他の１つの方向にフォールディングされ、
前記第１外側部材及び前記第２外側部材のうちの少なくともいずれか１つは、第１平坦面を提供する第１部分及び前記第１平坦面から突出された第２部分を含み、
前記第２部分は、前記第１、第２、及び第３フォールディング軸のうち、前記フレキシブル表示モジュールがフォールディングされる際に前記第１外側部材又は前記第２外側部材に引張力を印加するフォールディング軸に重畳するフォールダブル表示装置。
【請求項１５】
第１表示領域、第２表示領域、及び前記第１表示領域と前記第２表示領域との間に配置され、第１フォールディング軸及び第２フォールディング軸が定義されたフォールディング領域を含むフレキシブル表示パネルと、
前記フレキシブル表示パネルの前面に配置された第１外側部材と、
前記フレキシブル表示パネルの背面に配置された第２外側部材を含むフレキシブル表示モジュールと、を含み、
前記フレキシブル表示モジュールは、前記第１フォールディング軸に基づいて二つの方向のうちのいずれか１つの方向にフォールディングされ、前記第２フォールディング軸に基づいて前記二つの方向のうちの他の１つの方向にフォールディングされ、
前記第１外側部材及び前記第２外側部材のうちの少なくともいずれか１つは、第１平坦面を提供する第１部分及び前記第１平坦面から突出された第２部分を含み、
前記第２部分は、前記第１フォールディング軸と前記第２フォールディング軸のうち、前記フレキシブル表示モジュールがフォールディングされる際に前記第１外側部材又は前記第２外側部材に引張力を印加するフォールディング軸に重畳するフォールダブル表示装置。
【請求項１６】
フレキシブル表示モジュールと、
前記フレキシブル表示モジュールに結合され、第１、第２、及び第３回転軸を具備するハウジングと、を含み、
前記フレキシブル表示モジュールは、
フレキシブル表示パネルと、
前記フレキシブル表示パネルの前面に配置された第１外側部材と、
前記フレキシブル表示パネルの背面に配置された第２外側部材と、を含み、
前記第１回転軸は、前記第２回転軸と前記第３回転軸との間に定義され、
前記フレキシブル表示モジュールは、前記第１回転軸に基づいて二つの方向のうちのいずれか一方向にフォールディングされ、前記フレキシブル表示モジュールは、前記第２回転軸及び前記第３回転軸に基づいて前記いずれか一方向と反対である方向にフォールディングされ、
前記第１外側部材及び前記第２外側部材のうちの少なくともいずれか１つは、第１平坦面を提供する第１部分及び前記第１平坦面から突出された第２部分を含み、
前記第２部分は、前記第１、第２、及び第３回転軸のうち、前記フレキシブル表示モジュールがフォールディングされる際に前記第１外側部材又は前記第２外側部材に引張力を印加する回転軸に重畳するフォールダブル表示装置。
【請求項１７】
前記ハウジングは、
第１ボディー部と、
第２ボディー部と、
前記第１ボディー部とヒンジ結合される第３ボディー部と、
前記第２ボディー部とヒンジ結合され、前記第３ボディー部とヒンジ結合される第４ボディー部と、を含み、
前記第１ボディー部と前記第３ボディー部がヒンジ結合される部分は、前記第２回転軸を定義し、前記第２ボディー部と前記第４ボディー部がヒンジ結合される部分は、前記第３回転軸を定義し、前記第３ボディー部と前記第４ボディー部がヒンジ結合される部分は、前記第１回転軸を定義する請求項１６に記載のフォールダブル表示装置。
【請求項１８】
前記フレキシブル表示モジュールは、第１ボディー部に対応する第１領域、第２ボディー部に対応する第２領域及び前記第３及び第４ボディー部に対応する第３領域を含み、
前記第１領域の表示面と前記第２領域の表示面が外部に向くように前記フレキシブル表示モジュールが外側フォールディング（ｏｕｔｅｒ  ｆｏｌｄｉｎｇ）されたとき、前記第１領域の前記表示面と前記第２領域の前記表示面は、イメージを表示することを特徴とする請求項１７に記載のフォールダブル表示装置。
【請求項１９】
前記第１回転軸に基づいて前記第１領域の前記表示面と前記第２領域の前記表示面が互いに対向するように内側フォールディング（ｉｎｎｅｒ  ｆｏｌｄｉｎｇ）され、前記第２回転軸及び前記第３回転軸に基づいて前記第１領域の前記表示面と前記第２領域の前記表示面が外部に向くように外側フォールディング（ｏｕｔｅｒ  ｆｏｌｄｉｎｇ）されることを特徴とする請求項１８に記載のフォールダブル表示装置。
【請求項２０】
前記第２回転軸及び前記第３回転軸に基づいて前記第１領域の前記表示面と前記第２領域の前記表示面が互いに対向するように内側フォールディング（ｉｎｎｅｒ  ｆｏｌｄｉｎｇ）され、前記第１回転軸に基づいて前記第１領域の前記表示面と前記第２領域の前記表示面が外部に向くように外側フォールディング（ｏｕｔｅｒ  ｆｏｌｄｉｎｇ）されることを特徴とする請求項１８に記載のフォールダブル表示装置。
【発明の詳細な説明】
【技術分野】
【０００１】
本発明は、フォールダブル（ｆｏｌｄａｂｌｅ）表示装置に関し、さらに詳細には二つの方向にフォールディングされるフォールダブル表示装置に関する。
【背景技術】
【０００２】
近年、折り曲げ可能な表示パネル（以下、フレキシブル表示モジュールという）が開発されている。このようなフレキシブル表示モジュールは、フレキシブル表示パネル及び多様な機能性部材を含む。前記フレキシブル表示パネルは、ベース部材、前記ベース部材上に配置された多様な機能層、及び前記ベース部材上に配置された画素を含む。
【０００３】
ローラーブル（ｒｏｌｌａｂｌｅ）表示装置又はフォールダブル表示装置は、前記フレキシブル表示モジュールを含む。
【先行技術文献】
【特許文献】
【０００４】
【特許文献１】米国特許第９，０１９，６０９号明細書
【特許文献２】韓国公開特許第１０−１５３４４２８号公報
【特許文献３】米国特許出願公開第２００６／０１３２０２５号明細書
【特許文献４】韓国公開特許第１０−２０１３−００７６４０２号公報
【特許文献５】韓国公開特許第１０−２０１４−００１４６６９号公報
【発明の概要】
【発明が解決しようとする課題】
【０００５】
本発明の目的は、不良が減少されたフォールダブル表示装置を提供することにある。
【課題を解決するための手段】
【０００６】
本発明の一実施形態によるフォールダブル表示装置は、二つ以上の表示領域と二つの方向にフォールディングされる少なくとも一つのフォールディング領域とを含む。前記表示装置は、第１表示領域、第２表示領域、及び前記第１表示領域と前記第２表示領域との間に配置され、第１フォールディング軸、第２フォールディング軸、及び第３フォールディング軸が定義された第１フォールディング領域を含む。
【０００７】
前記第１フォールディング軸は、前記第２フォールディング軸と前記第３フォールディング軸との間に定義され、前記フォールダブル表示装置は、前記第１フォールディング軸に基づいて（ｏｎ  ｔｈｅ  ｂａｓｉｓ  ｏｆ  ｔｈｅ  ｆｉｒｓｔ  ｆｏｌｄｉｎｇ  ａｘｉｓ）、前記二つの方向のうちのいずれか一つの方向にフォールディングされ、前記第２フォールディング軸及び前記第３フォールディング軸に基づいて前記二つの方向のうちの他の一つの方向にフォールディングされる。
【０００８】
前記第１表示領域、前記第２表示領域、及び前記第１フォールディング領域は、表示面を各々含むことができる。前記第１表示領域の前記表示面と前記第２表示領域の前記表示面とが外部に向かうように前記フォールダブル表示装置がアウターフォールディング（ｏｕｔｅｒ  ｆｏｌｄｉｎｇ）されたとき、前記第１表示領域の前記表示面と前記第２表示領域の前記表示面とは、イメージを表示することができる。
【０００９】
前記第１フォールディング領域は、前記第１フォールディング軸に基づいて前記第１表示領域の前記表示面と前記第２表示領域の前記表示面とが互いに対向するようにインナー
フォールディング（ｉｎｎｅｒ  ｆｏｌｄｉｎｇ）され、前記第２フォールディング軸及び前記第３フォールディング軸に基づいて前記第１表示領域の前記表示面と前記第２表示領域の前記表示面とが外部に向かうようにアウターフォールディング（ｏｕｔｅｒ  ｆｏｌｄｉｎｇ）される。
【００１０】
前記第１フォールディング領域は、前記第２フォールディング軸及び前記第３フォールディング軸に基づいて前記第１表示領域の前記表示面と前記第２表示領域の前記表示面とが互いに対向するようにインナーフォールディング（ｉｎｎｅｒ  ｆｏｌｄｉｎｇ）され、前記第１フォールディング軸に基づいて前記第１表示領域の前記表示面と前記第２表示領域の前記表示面とが外部に向かうようにアウターフォールディング（ｏｕｔｅｒ  ｆｏｌｄｉｎｇ）される。
【００１１】
本発明の一実施形態によるフォールダブル表示装置は、第３表示領域及び前記第２表示領域と第３表示領域との間に配置され、第４フォールディング軸、第５フォールディング軸、及び第６フォールディング軸が定義された第２フォールディング領域をさらに含むことができる。
【００１２】
前記第４フォールディング軸は、前記第５フォールディング軸と前記第６フォールディング軸との間に定義され、前記フォールダブル表示装置は、前記第４フォールディング軸に基づいて前記二つの方向のうちのいずれか一つの方向にフォールディングされ、前記第５フォールディング軸及び前記第６フォールディング軸に基づいて前記二つの方向のうちの他の一つの方向にフォールディングされる。
【００１３】
本発明の一実施形態によるフォールダブル表示装置は、前記第１表示領域、前記第２表示領域、前記第３表示領域、前記第１フォールディング領域、及び前記第２フォールディング領域は、表示面を各々含むことができる。前記第１表示領域の前記表示面、前記第２表示領域の前記表示面、及び前記第３表示領域の前記表示面の各々は、外部に露出されるとき、前記第１表示領域の前記表示面、前記第２表示領域の前記表示面、及び前記第３表示領域の前記表示面は、イメージを表示することができる。
【００１４】
前記第１フォールディング領域は、前記第１フォールディング軸に基づいて前記第１表示領域の前記表示面と前記第２表示領域の前記表示面とが互いに対向するようにインナーフォールディング（ｉｎｎｅｒ  ｆｏｌｄｉｎｇ）される。前記第２フォールディング領域は、前記第５フォールディング軸及び前記第６フォールディング軸に基づいて前記第３表示領域の前記表示面と前記第２表示領域の前記表示面が互いに対向するようにインナーフォールディング（ｉｎｎｅｒ  ｆｏｌｄｉｎｇ）される。
【００１５】
前記第１フォールディング領域は、前記第１フォールディング軸に基づいて前記第１表示領域の前記表示面と前記第２表示領域の前記表示面とが互いに対向するようにインナーフォールディング（ｉｎｎｅｒ  ｆｏｌｄｉｎｇ）される。前記第２フォールディング領域は、前記第４フォールディング軸に基づいて前記第３表示領域の前記表示面が外部に向かうようにアウターフォールディング（ｏｕｔｅｒ  ｆｏｌｄｉｎｇ）される。外部に露出された前記第２フォールディング領域は、イメージを表示することができる。
【００１６】
本発明の一実施形態によるフォールダブル表示装置は、二つ以上の表示領域と二つの方向にフォールディングされる少なくとも一つのフォールディング領域を含むことができる。前記表示装置は、第１表示領域、第２表示領域、及び前記第１表示領域と前記第２表示領域との間に配置され、第１フォールディング軸及び第２フォールディング軸が定義されたフォールディング領域を含むことができる。前記フォールダブル表示装置は、前記第１フォールディング軸に基づいて前記二つの方向のうちのいずれか一つの方向にフォールディングされ、前記第２フォールディング軸に基づいて前記二つの方向のうちの他の一つの方向にフォールディングされる。
【００１７】
本発明の一実施形態によるフォールダブル表示装置は、フレキシブル表示モジュール及び前記フレキシブル表示モジュールに結合され、第１回転軸、第２回転軸、及び第３回転軸を具備するハウジングを含む。前記第１回転軸は、前記第２回転軸と前記第３回転軸との間に定義される。前記フレキシブル表示モジュールは、前記第１回転軸に基づいて二つの方向のうちのいずれか一方向にフォールディングされ、前記フレキシブル表示モジュールは、前記第２回転軸及び前記第３回転軸に基づいて前記二つの方向のうちのいずれか一方向と反対の方向にフォールディングされる。
【００１８】
前記ハウジングは、第１ボディー部、第２ボディー部、前記第１ボディー部とヒンジ結合される第３ボディー部、及び前記第２ボディー部とヒンジ結合され、前記第３ボディー部とヒンジ結合される第４ボディー部を含む。前記第１ボディー部と前記第３ボディーヒ部とがンジ結合される部分は、前記第２回転軸を定義し、前記第２ボディー部と前記第４ボディー部とがヒンジ結合される部分は、前記第３回転軸を定義し、前記第３ボディー部と前記第４ボディー部とがヒンジ結合される部分は、前記第１回転軸を定義する。
【００１９】
前記フレキシブル表示モジュールは、第１ボディー部に対応する第１領域、第２ボディー部に対応する第２領域並びに前記第３ボディー部及び第４ボディー部に対応する第３領域を含むことができる。前記第１領域の表示面と前記第２領域の表示面とが外部に向かうように前記フレキシブル表示モジュールがアウターフォールディング（ｏｕｔｅｒ  ｆｏｌｄｉｎｇ）されたとき、前記第１領域の前記表示面と前記第２領域の前記表示面とは、イメージを表示することができる。
【００２０】
前記第１回転軸に基づいて前記第１領域の前記表示面と前記第２領域の前記表示面とが互いに対向するようにインナーフォールディング（ｉｎｎｅｒ  ｆｏｌｄｉｎｇ）され、前記第２回転軸及び前記第３回転軸に基づいて前記第１領域の前記表示面と前記第２領域の前記表示面とが外部に向かうようにアウターフォールディング（ｏｕｔｅｒ  ｆｏｌｄｉｎｇ）される。
【００２１】
前記第２回転軸及び前記第３回転軸に基づいて前記第１領域の前記表示面と前記第２領域の前記表示面とが互いに対向するようにインナーフォールディング（ｉｎｎｅｒ  ｆｏｌｄｉｎｇ）され、前記第１回転軸に基づいて前記第１領域の前記表示面と前記第２領域の前記表示面とが外部に向かうようにアウターフォールディング（ｏｕｔｅｒ  ｆｏｌｄｉｎｇ）される。
【００２２】
前記フレキシブル表示モジュールは、フレキシブル表示パネル、前記フレキシブル表示パネルの全面に配置された第１外側部材、及び前記フレキシブル表示パネルの背面に配置された第２外側部材を含むことができる。
【００２３】
前記第１外側部材は、第１平坦面を提供する第１部分及び前記第１平坦面から突出され、前記第１回転軸、第２回転軸、及び第３回転軸のうち、前記フレキシブル表示モジュールがフォールディングされるとき、前記第１外側部材に引張力を加える回転軸に重畳する第２部分を含むことができる。
【００２４】
前記第２外側部材は、第２平坦面を提供する第３部分及び前記第２平坦面から突出され、前記第１回転軸、第２回転軸、及び第３回転軸のうち、前記フレキシブル表示モジュールがフォールディングされるとき、前記第１外側部材に引張力を加える回転軸に重畳する第４部分を含むことができる。
【００２５】
前記第２部分は、前記第１平坦面から突出された第２平坦面及び前記第１平坦面と前記第２平坦面とを連結する傾斜面を含むことができる。
【００２６】
前記第１回転軸、第２回転軸、及び第３回転軸と平行に配置され、前記第２部分に定義された複数個のグルーブをさらに含むことができる。
【発明の効果】
【００２７】
上述した本発明の一実施形態によれば、複数個のフォールディング軸が定義されることによって二つの方向にフォールディングされるときに発生するストレスが複数個のフォールディング軸に分散されるため、表示装置の不良を減少させることができる。
【００２８】
表示パネルの外側に配置された外側部材は、表示モジュールがフォールディングされた状態で発生する中立面の位置を制御する。外側部材は、表示モジュールがフォールディングされた状態で表示パネルに具備された薄膜トランジスタに引張力ではなく圧縮力が加わるように前記中立面の位置を制御する。表示パネルに具備された薄膜トランジスタは、引張力より圧縮力に対する耐久性がより高い。したがって、表示パネルの不良を減少させることができる。
【図面の簡単な説明】
【００２９】
【図１Ａ】本発明の一実施形態によるフォールダブル表示装置の斜視図である。
【図１Ｂ】本発明の一実施形態によるフォールダブル表示装置の第１フォールディング状態の斜視図である。
【図１Ｃ】本発明の一実施形態によるフォールダブル表示装置の第２フォールディング状態の斜視図である。
【図２Ａ】本発明の一実施形態によるフォールダブル表示装置の斜視図である。
【図２Ｂ】本発明の一実施形態によるフォールダブル表示装置の第１フォールディング状態の斜視図である。
【図２Ｃ】本発明の一実施形態によるフォールダブル表示装置の第２フォールディング状態の斜視図である。
【図３Ａ】本発明の一実施形態によるフォールダブル表示装置の斜視図である。
【図３Ｂ】本発明の一実施形態によるフォールダブル表示装置の第１フォールディング状態の斜視図である。
【図３Ｃ】本発明の一実施形態によるフォールダブル表示装置の第２フォールディング状態の斜視図である。
【図４Ａ】本発明の一実施形態によるフォールダブル表示装置の斜視図である。
【図４Ｂ】本発明の一実施形態によるフォールダブル表示装置の第１フォールディング状態の斜視図である。
【図４Ｃ】本発明の一実施形態によるフォールダブル表示装置の第２フォールディング状態の斜視図である。
【図５Ａ】本発明の一実施形態によるフォールダブル表示装置の斜視図である。
【図５Ｂ】本発明の一実施形態によるフォールダブル表示装置の第１フォールディング状態の斜視図である。
【図５Ｃ】本発明の一実施形態によるフォールダブル表示装置の第２フォールディング状態の斜視図である。
【図６Ａ】本発明の一実施形態によるフォールダブル表示装置の斜視図である。
【図６Ｂ】本発明の一実施形態によるフォールダブル表示装置の分解斜視図である。
【図６Ｃ】本発明の一実施形態によるヒンジ結合の構造物を示した斜視図である。
【図６Ｄ】本発明の一実施形態によるフォールダブル表示装置の第１フォールディング状態の側面図である。
【図６Ｅ】本発明の一実施形態によるフォールダブル表示装置の第１フォールディング状態の側面図である。
【図７】本発明の一実施形態によるフレキシブル表示モジュールの断面図である。
【図８】本発明の一実施形態によるフレキシブル表示パネルの断面図である。
【図９】本発明の一実施形態によるフレキシブル表示パネルの画素の等価回路図である。
【図１０Ａ】本発明の一実施形態によるフレキシブル表示モジュールのフォールディング領域の拡大断面図である。
【図１０Ｂ】図１０Ａの第１フォールディング軸の領域に発生したストレスを示した断面図である。
【図１０Ｃ】図１０Ａの第３フォールディング軸の領域に発生したストレスを示した断面図である。
【図１０Ｄ】曲率半径にしたがう薄膜トランジスタのストレインを示したグラフである。
【図１１Ａ】本発明の一実施形態によるフレキシブル表示モジュールのフォールディング領域の拡大断面図である。
【図１１Ｂ】本発明の一実施形態によるフレキシブル表示モジュールのフォールディング領域の拡大断面図である。
【発明を実施するための形態】
【００３０】
以下、図面を参照して本発明の一実施形態によるフォールダブル表示装置を説明する。図面では様々な層及び領域を明確に表現するために一部の構成要素のスケールを誇張するか、或いは縮小して示す。明細書の全体に亘って類似な参照符号は、類似な構成要素を称する。そして、いずれかの層が他の層の‘上に’形成される（配置される）ということは、２つの層が接している場合のみならず、２つの層の間に他の層が存在する場合も含む。尚、図面では、ある層の一面を平らに図示するが、必ず平らである必要はなく、積層工程における下部層の表面形状によっては、上部層の表面に段差や曲面が発生する場合もある。
【００３１】
図１Ａは、本発明の一実施形態によるフォールダブル表示装置の斜視図である。図１Ｂは、本発明の一実施形態によるフォールダブル表示装置の第１フォールディング状態の斜視図である。図１Ｃは、本発明の一実施形態によるフォールダブル表示装置の第２フォールディング状態の斜視図である。図２Ａは、本発明の一実施形態によるフォールダブル表示装置の斜視図である。図２Ｂは、本発明の一実施形態によるフォールダブル表示装置の第１フォールディング状態の斜視図である。図２Ｃは、本発明の一実施形態によるフォールダブル表示装置の第２フォールディング状態の斜視図である。
【００３２】
図１Ａ乃至図１Ｃに示したように、フォールダブル表示装置は、第１表示領域ＤＡ１、第２表示領域ＤＡ２、及びフォールディング領域ＦＡを含む。フォールディング領域ＦＡは、第１表示領域ＤＡ１と第２表示領域ＤＡ２との間に配置される。フォールディング領域ＦＡには第１フォールディング軸ＦＸ１、第２フォールディング軸ＦＸ２、及び第３フォールディング軸ＦＸ３が定義される。図１Ａ乃至図１Ｃに図示されたフォールダブル表示装置は、一つの例示に過ぎない。ここに示すフォールダブル表示装置は、両方向にフォールディングされる２つ以上のフォールディング領域を含む。
【００３３】
フォールダブル表示装置は、イメージＩＭを表示する表示面ＤＳを含む。表示面ＤＳは、第１表示領域ＤＡ１の表示面、第２表示領域ＤＡ２の表示面、及びフォールディング領域ＦＡの表示面に区分される。以下、第１方向軸ＤＲ１と第２方向軸ＤＲ２とは、開けられた状態の表示面ＤＳを定義する。第３方向軸ＤＲ３は、フォールダブル表示装置の厚さ方向を指示する。尚、第２方向軸ＤＲ２は、第１フォールディング軸ＦＸ１、第２フォールディング軸ＦＸ２、及び第３フォールディング軸ＦＸ３の延長方向を指示する。
【００３４】
第１フォールディング軸ＦＸ１は、第２フォールディング軸ＦＸ２と第３フォールディング軸ＦＸ３との間に定義される。第１フォールディング軸ＦＸ１は、第２フォールディング軸ＦＸ２及び第３フォールディング軸ＦＸ３とは異なる方向にフォールダブル表示装置をフォールディングさせる。
【００３５】
図１Ｂに示したように、フォールダブル表示装置は、第１表示領域ＤＡ１の表示面と第２表示領域ＤＡ２の表示面とが互いに対向するように第１フォールディング軸ＦＸ１に基づいてフォールディングされる。以下、互に異なる領域の表示面が対向するようにフォールディングされることをインナーフォールディング（ｉｎｎｅｒ  ｆｏｌｄｉｎｇ）と定義する。この時、フォールダブル表示装置は、第２フォールディング軸ＦＸ２と第３フォールディング軸ＦＸ３とに基づいてフォールディングされない。
【００３６】
本実施形態で、第１表示領域ＤＡ１が第１フォールディング軸ＦＸ１に基づいて右回りに回転されることによって、フォールダブル表示装置がインナーフォールディングされる。第１表示領域ＤＡ１と第２表示領域ＤＡ２とが整列されるようにフォールダブル表示装置をインナーフォールディングするために、第１フォールディング軸ＦＸ１は、第１方向軸ＤＲ１にしたがうフォールダブル表示装置の中心に定義される。
【００３７】
図１Ｃに示したように、フォールダブル表示装置は、第１表示領域ＤＡ１の表示面と第２表示領域ＤＡ２の表示面とが外部に向かうように第２フォールディング軸ＦＸ２及び第３フォールディング軸ＦＸ３に基づいてフォールディングされる。以下、互に異なる領域の表示面が外部に向かうようにフォールディングされることをアウターフォールディング（ｏｕｔｅｒ  ｆｏｌｄｉｎｇ）と定義する。この時、フォールダブル表示装置は、第１フォールディング軸ＦＸ１に基づいてフォールディングされない。
【００３８】
本実施形態で、第２表示領域ＤＡ２が第２フォールディング軸ＦＸ２及び第３フォールディング軸ＦＸ３に基づいて左回りに回転されることによって、フォールダブル表示装置が外側フォールディングされる。第１表示領域ＤＡ１と第２表示領域ＤＡ２とが整列されるようにフォールダブル表示装置をアウターフォールディングするために、第１フォールディング軸ＦＸ１と第２フォールディング軸ＦＸ２との第１方向軸ＤＲ１にしたがう離隔距離は、第１フォールディング軸ＦＸ１と第３フォールディング軸ＦＸ３との第１方向軸ＤＲ１にしたがう離隔距離と実質的に同一である。
【００３９】
図１Ａ及び図１Ｃに示したように、第１表示領域ＤＡ１の表示面と第２表示領域ＤＡ２の表示面とが外部に露出される時、イメージＩＭを表示する。それだけではなく、外部に露出されたフォールディング領域ＦＡの表示面もイメージＩＭを表示することができる。例えば図１Ａに示したように、開けられた状態でイメージＩＭを表示することもできるし、図１Ｃに示したように、アウターフォールディング（ｏｕｔｅｒ  ｆｏｌｄｉｎｇ）状態でイメージＩＭを表示することもできる。第１表示領域ＤＡ１、第２表示領域ＤＡ２、及びフォールディング領域ＦＡは、互いに独立的な情報を提供するイメージを各々表示するか、或いは一つの情報を提供する一つのイメージの部分を各々表示する。
【００４０】
図１Ａ乃至図１Ｃに示したように、フォールダブル表示装置は、フォールディング領域ＦＡで３つのフォールディング軸ＦＸ１、ＦＸ２、ＦＸ３に基づいて両方向にフォールディングされる。インナーフォールディングとアウターフォールディングとが互に異なるフォールディング軸に基づいて実施されることによって、フォールディング軸に対応する表示面の部分には、引張力（ｔｅｎｓｉｌｅ  ｓｔｒｅｓｓ）と圧縮力（ｃｏｍｐｒｅｓｓｉｖｅ  ｓｔｒｅｓｓ）のいずれか一つが発生する。図１Ｂに示したように、第１フォールディング軸ＦＸ１に対応する表示面の一部分には圧縮力が加わり、図１Ｃに示したように、第２フォールディング軸ＦＸ２及び第３フォールディング軸ＦＸ３に対応する表示面の一部分には引張力が加わる。
【００４１】
一つのフォールディング軸に基づいて両方向にフォールディングされる場合、表示面のフォールディング軸に対応する部分に引張力と圧縮力とが交互に発生する。それによって、フォールダブル表示装置の一つのフォールディング軸が定義された部分は、変形されるか、或いは不良が発生する場合がある。それに反して、本実施形態によるフォールダブル表示装置は、両方向にフォールディングする際、発生する引張力と圧縮力とがフォールディング軸に分散されるため、フォールダブル表示装置の不良率を減少させることができる。
【００４２】
図２Ａ乃至図２Ｃに図示されたフォールダブル表示装置は、図１Ａ乃至図１Ｃに図示されたフォールダブル表示装置に比べてフォールディング軸のフォールディング方向が異なる。
【００４３】
図２Ｂに示したように、フォールダブル表示装置は、第１表示領域ＤＡ１の表示面と第２表示領域ＤＡ２の表示面とが外部に向かうように第１フォールディング軸ＦＸ１に基づいてアウターフォールディングされる。この時、フォールダブル表示装置は、第２フォールディング軸ＦＸ２及び第３フォールディング軸ＦＸ３に基づいてフォールディングされない。図２Ｃに示したように、フォールダブル表示装置は、第１表示領域ＤＡ１の表示面と第２表示領域ＤＡ２の表示面とが互いに対向するように第２フォールディング軸ＦＸ２及び第３フォールディング軸ＦＸ３に基づいてインナーフォールディングされる。この時、フォールダブル表示装置は、第１フォールディング軸ＦＸ１に基づいてフォールディングされない。
【００４４】
図３Ａは、本発明の一実施形態によるフォールダブル表示装置の斜視図である。図３Ｂは、本発明の一実施形態によるフォールダブル表示装置の第１フォールディング状態の斜視図である。図３Ｃは、本発明の一実施形態によるフォールダブル表示装置の第２フォールディング状態の斜視図である。図４Ａは、本発明の一実施形態によるフォールダブル表示装置の斜視図である。図４Ｂは、本発明の一実施形態によるフォールダブル表示装置の第１フォールディング状態の斜視図である。図４Ｃは、本発明の一実施形態によるフォールダブル表示装置の第２フォールディング状態の斜視図である。以下、図３Ａ乃至図３Ｃを参照して本発明の一実施形態によるフォールダブル表示装置を説明し、図４Ａ乃至図４Ｃを参照して本発明の一実施形態によるフォールダブル表示装置を説明する。但し、図１Ａ乃至図２Ｃを参照して説明した構成と同一の構成に対する詳細な説明は、省略する。
【００４５】
図１Ａ乃至図２Ｃを参照して説明したフォールダブル表示装置に比較して本実施形態によるフォールダブル表示装置は、複数個のフォールディング領域ＦＡ１、ＦＡ２を含む。フォールディング領域ＦＡ１、ＦＡ２の各々は、両方向にフォールディングされる。図３Ａ乃至図４Ｃには２つのフォールディング領域ＦＡ１、ＦＡ２を含むフォールダブル表示装置を例示的に図示する。
【００４６】
図３Ａ乃至図３Ｃに示したように、フォールダブル表示装置は、第１乃至第３表示領域ＤＡ１、ＤＡ２、ＤＡ３、及び第１及び第２フォールディング領域ＦＡ１、ＦＡ２を含む。第１フォールディング領域ＦＡ１は、第１表示領域ＤＡ１と第２表示領域ＤＡ２との間に配置され、第２フォールディング領域ＦＡ２は、第２表示領域ＤＡ２と第３表示領域ＤＡ３との間に配置される。第１及び第２フォールディング領域ＦＡ１、ＦＡ２の各々には３つのフォールディング軸が定義される。
【００４７】
第１及び第２フォールディング領域ＦＡ１、ＦＡ２の各々は、図１Ａ乃至図１Ｃに図示されたフォールディング領域ＦＡ及び図２Ａ乃至図２Ｃに図示されたフォールディング領域ＦＡのうちのいずれか一つと実質的に同一である。第１フォールディング領域ＦＡ１には第１フォールディング軸ＦＸ１、第２フォールディング軸ＦＸ２、及び第３フォールディング軸ＦＸ３が定義され、第２フォールディング領域ＦＡ２には第４フォールディング軸ＦＸ４、第５フォールディング軸ＦＸ５、及び第６フォールディング軸ＦＸ６が定義される。
【００４８】
図３Ｂに示したように、第１フォールディング領域ＦＡ１は、第１フォールディング軸ＦＸ１に基づいてインナーフォールディングされる。第２フォールディング領域ＦＡ２は、第５フォールディング軸ＦＸ５及び第６フォールディング軸ＦＸ６に基づいてインナーフォールディングされる。図３Ｃに示したように、第１フォールディング領域ＦＡ１は、第２フォールディング軸ＦＸ２及び第３フォールディング軸ＦＸ３に基づいてアウターフォールディングされる。図３Ｃで第１フォールディング領域ＦＡ１は、第２フォールディング軸ＦＸ２に基づいてフォールディングされなくともよい。第２フォールディング領域ＦＡ２は、第４フォールディング軸ＦＸ４に基づいてアウターフォールディングされる。図３Ａ及び図３Ｃに示したように、第１表示領域ＤＡ１の表示面、第２表示領域ＤＡ２の表示面、及び第３表示領域ＤＡ３の表示面が外部に露出される時、イメージＩＭを表示する。それだけではなく、外部に露出された第１フォールディング領域ＦＡ１の表示面及び第２フォールディング領域ＦＡ２の表示面もイメージＩＭを表示する。
【００４９】
図４Ａ乃至図４Ｃに図示されたフォールダブル表示装置は、図３Ａ乃至図３Ｃに図示されたフォールダブル表示装置に比べてフォールディング軸とフォールディング方向が異なる。
【００５０】
図４Ｂに示したように、第１フォールディング領域ＦＡ１は、第１フォールディング軸ＦＸ１に基づいてインナーフォールディングされる。それと同時に第２フォールディング領域ＦＡ２は、第４フォールディング軸ＦＸ４に基づいてアウターフォールディングされる。図４Ｃに示したように、第１フォールディング領域ＦＡ１は、第２フォールディング軸ＦＸ２及び第３フォールディング軸ＦＸ３に基づいてアウターフォールディングされる。第２フォールディング領域ＦＡ２は、第５フォールディング軸ＦＸ５及び第６フォールディング軸ＦＸ６に基づいてインナーフォールディングされる。図４Ａ乃至図４Ｃに示したように、表示面の中で外部に露出された領域は、イメージＩＭを表示する。
【００５１】
図５Ａは、本発明の一実施形態によるフォールダブル表示装置の斜視図である。図５Ｂは、本発明の一実施形態によるフォールダブル表示装置の第１フォールディング状態の斜視図である。図５Ｃは、本発明の一実施形態によるフォールダブル表示装置の第２フォールディング状態の斜視図である。以下、図５Ａ乃至図５Ｃを参照して本発明の一実施形態によるフォールダブル表示装置を説明する。但し、図１Ａ乃至図４Ｃを参照して説明した構成と同一の構成に対する詳細な説明は、省略する。
【００５２】
先に説明したフォールダブル表示装置に比較して本実施形態によるフォールダブル表示装置は、フォールディング領域ＦＡ１０に２つのフォールディング軸ＦＸ１０、ＦＸ２０が定義される。図１Ａ乃至図１Ｃに図示されたフォールダブル表示装置に対比すれば、第３フォールディング軸ＦＸ３が省略される。本実施形態によるフォールディング領域ＦＡ１０のフォールディング軸ＦＸ１０、ＦＸ２０は、図２Ａ乃至図４Ｃに図示されたフォールディング領域ＦＡ、第１フォールディング領域ＦＡ１、及び第２フォールディング領域ＦＡ２のうちの少なくともいずれか一つに適用されてもよい。
【００５３】
図５Ｂに示したように、フォールダブル表示装置は、第１フォールディング軸ＦＸ１０に基づいてインナーフォールディングされる。図５Ｃに示したように、フォールダブル表示装置は、第２フォールディング軸ＦＸ２０に基づいてアウターフォールディングされる。本発明の一実施形態では、インナーフォールディングとアウターフォールディングのフォールディング軸は、互いに異なる。
【００５４】
本実施形態のフォールダブル表示装置は、フォールディング領域ＦＡで２つのフォールディング軸ＦＸ１０、ＦＸ２０に基づいて両方向にフォールディングされる。本実施形態によるフォールダブル表示装置は、両方向にフォールディングする際、発生する引張力と圧縮力とが２つのフォールディング軸に分散される。したがって、フォールダブル表示装置の不良率を減少させることができる。
【００５５】
図６Ａは、本発明の一実施形態によるフォールダブル表示装置の斜視図である。図６Ｂは、本発明の一実施形態によるフォールダブル表示装置の分解斜視図である。図６Ｃは、本発明の一実施形態によるヒンジ結合の構造物を示した斜視図である。図６Ｄは、本発明の一実施形態によるフォールダブル表示装置の第１フォールディング状態の側面図である。図６Ｅは、本発明の一実施形態によるフォールダブル表示装置の第１フォールディング状態の側面図である。以下、図６Ａ乃至図６Ｅを参照して本発明の一実施形態によるフォールダブル表示装置を説明する。図６Ａ乃至図６Ｅに図示されたフォールダブル表示装置は、図１Ａ乃至図１Ｃを参照して説明したフォールダブル表示装置の具体化された一実施形態に対応する。
【００５６】
図６Ａ乃至図６Ｃに示したように、本実施形態によるフォールダブル表示装置は、フレキシブル表示モジュール１００（以下、表示モジュール）及びハウジング２００を含む。表示モジュール１００は、ハウジング２００に部分的に又は全体的に結合される。表示モジュール１００とハウジング２００との結合構造は、特に制限されない。例えば、ハウジング２００は、表示モジュール１００が配置される平坦面を提供する。本発明の一実施形態でハウジング２００は、内部に所定の空間を定義されることができ、表示モジュール１００は、所定の空間に収容される。ハウジング２００は、段差付きの空間を備え、表示モジュール１００は、その段差付き空間に配置される。
【００５７】
表示モジュール１００は、全体的に巻くこともできるし、或いは特定の領域で折り曲げることもできる。表示モジュール１００は、少なくともフレキシブル表示パネルを含み、多様な機能性部材を含む。フレキシブル表示パネルは、有機発光表示パネル、電気泳動表示パネル、又はエレクトロ・ウェッティング表示パネル等を用いることができる。機能性部材は、保護部材、光学部材、タッチパネル等を含む。
【００５８】
表示モジュール１００は、図１Ａ乃至図１Ｃを参照して説明した第１表示領域ＤＡ１、第２表示領域ＤＡ２、及びフォールディング領域ＦＡに各々対応する第１領域１００−ＤＲ１、第２領域１００−ＤＲ２及び第３領域１００−Ｆを含む。実質的に第１領域１００−ＤＲ１、第２領域１００−ＤＲ２、及び第３領域１００−Ｆは、後述するハウジング２００によって区分される仮想の領域である。
【００５９】
ハウジング２００は、互いに結合される複数個の部分を含む。複数個の部分のうちの一部が回転できるように結合されて第１、第２、及び第３回転軸ＲＸ１、ＲＸ２、ＲＸ３を形成する。第１、第２、及び第３回転軸ＲＸ１、ＲＸ２、ＲＸ３は、図１Ａ乃至図１Ｃを参照して説明した第１、第２、及び第３フォールディング軸ＦＸ１、ＦＸ２、ＦＸ３に各々対応する。
【００６０】
ハウジング２００は、第１乃至第４ボディー部２１０、２２０、２３０、２４０を含む。第１ボディー部２１０は、表示モジュール１００の第１領域１００−ＤＲ１に対応するように配置され、第２ボディー部２２０は、表示モジュール１００の第２領域１００−ＤＲ２に対応するように配置される。第３及び第４ボディー部２３０、２４０は、表示モジュール１００の第３領域１００−Ｆに対応するように配置される。第１乃至第４ボディー部２１０、２２０、２３０、２４０の各々は、複数個の部分が組み立てられ、形成されるか、或いは射出成形された一つの部分を含む。別途に図示しなかったが、複数個のフォールディング領域を定義するためにハウジング２００は、追加のボディー部をさらに含んでもよい。
【００６１】
第１乃至第４ボディー部２１０、２２０、２３０、２４０のうちの隣接するボディー部は、互いにヒンジ結合される。例えば、第３ボディー部２３０と第４ボディー部２４０がヒンジ結合され、第１ボディー部２１０と第３ボディー部２３０とがヒンジ結合され、第２ボディー部２２０と第４ボディー部２４０とがヒンジ結合される。
【００６２】
第３ボディー部２３０と第４ボディー部２４０とがヒンジ結合される部分は、第１回転軸ＲＸ１を定義する。第１ボディー部２１０と第３ボディー部２３０とがヒンジ結合される部分は、第２回転軸ＲＸ２を定義する。第２ボディー部２２０と第４ボディー部２４０とがヒンジ結合される部分は、第３回転軸ＲＸ３を定義する。
【００６３】
フレキシブル表示モジュール１００は、第１回転軸ＲＸ１に基づいていずれか一方向にフォールディングされ、第２回転軸ＲＸ２及び第３回転軸ＲＸ３に基づいて、前述のいずれか一方向と反対の方向にフォールディングされる。フレキシブル表示モジュール１００は、第１回転軸ＲＸ１に基づいて右回りにフォールディングされる場合、左回りにはフォールディングされない。
【００６４】
図６Ｃを参照してヒンジ結合される部分の構造をさらに詳細に説明する。図６Ｃには、第３ボディー部２３０と第４ボディー部２４０とのヒンジ結合される部分が例示的に図示されている。第３ボディー部２３０と第４ボディー部２４０とは、第２方向軸ＤＲ２に沿って離隔された２つの部分でヒンジ結合される。図６Ｃは、一つのヒンジ結合される部分を図示している。
【００６５】
第３ボディー部２３０と第４ボディー部２４０は、互いに接触する円形プレート部分２３０−ＣＢ１、２４０−ＣＢ１を各々含む。第３ボディー部２３０と第４ボディー部２４０との円形プレート部分２３０−ＣＢ１、２４０−ＣＢ１は、ヒンジホール２３０−ＨＨ１、２４０−ＨＨ１を各々含む。第１回転軸ＲＸ１がヒンジホール２３０−ＨＨ１、２４０−ＨＨ１に挿入される。本発明の一実施形態で第１回転軸ＲＸ１は、第３ボディー部２３０又は第４ボディー部２４０と一体の形状を有してもよい。
【００６６】
第３ボディー部２３０と第４ボディー部２４０とは、開かれた状態で互いに接触する固定部分２３０−Ｆ、２４０−Ｆを各々含む。それによって、フレキシブル表示モジュール１００は、開かれた状態から、第１回転軸ＲＸ１に基づいて左回りに回転することはできない。
【００６７】
第３ボディー部２３０と第４ボディー部２４０とは、表示モジュール１００を支持する支持部分２３０−Ｓ、２４０−Ｓを各々含む。第３ボディー部２３０と第４ボディー部２４０とは、第１ボディー部２１０と第２ボディー部２２０とに各々ヒンジ結合する円形プレート部分２３０−ＣＢ２、２４０−ＣＢ２をさらに含む。円形プレート部分２３０−ＣＢ２、２４０−ＣＢ２は、ヒンジホール２３０−ＨＨ２、２４０−ＨＨ２を各々含む。
【００６８】
図６Ｄに示したように、フォールダブル表示装置は、第１ボディー部２１０と第２ボディー部２２０とが互いに対向し、第３ボディー部２３０と第４ボディー部２４０とが互いに対向するように第１回転軸ＲＸ１に基づいてフォールディングされる。第１ボディー部２１０と第３ボディー部２３０との固定部分は、互いに接している。第２ボディー部２２０と第４ボディー部２４０との固定部分は、互いに接触する。
【００６９】
図６Ｅに示したように、フォールダブル表示装置は、第１ボディー部２１０と第２ボディー部２２０とが所定の間隔を置いて互いに対向するように第２回転軸ＲＸ２及び第３回転軸ＲＸ３に基づいてフォールディングされる。第３ボディー部２３０と第４ボディー部２４０との固定部分は、互いに接している。
【００７０】
図６Ａ乃至図６Ｅに示したように、表示装置を右回り又は左回りにフォールディングさせるとき、第１乃至第４ボディー部２１０、２２０、２３０、２４０のヒンジ結合された部分の動作によって第１乃至第３フォールディング軸ＦＸ１、ＦＸ２、ＦＸ３が定義される。したがって、一つのフォールディング軸に基づいて両方向にフォールディングされる表示装置にくらべて、本実施形態による表示装置は、両方向にフォールディングされるため、発生する引張力と圧縮力とがフォールディング軸に沿って分散される。したがって、フォールダブル表示装置の不良率を減少させることができる。
【００７１】
なお、図示していないが、第３回転軸ＲＸ３を省略し、第２ボディー部２２０と第４ボディー部２４０とを一体の形状としてもよい。それによって、図５Ａ乃至図５Ｃに図示された表示装置が具現される。
【００７２】
図６Ａ乃至図６Ｅに図示された一つの方向だけに回転するヒンジ結合構造は、一つの例示に過ぎない。一つの回転軸を基準に右回り又は左方向だけに回転する、その他のヒンジ結合構造が本発明に適用されてもよい。
【００７３】
図７は、本発明の一実施形態によるフレキシブル表示モジュールの断面図である。図８は、本発明の一実施形態によるフレキシブル表示パネルの断面図である。図９は、本発明の一実施形態によるフレキシブル表示パネルの画素の等価回路図である。以下、図７乃至図９を参照してフレキシブル表示モジュールに対してさらに詳細に説明する。
【００７４】
図７に示したように、フレキシブル表示モジュール１００は、表示パネル１００−ＤＰ及び表示パネルに結合された第１外側部材１００−ＯＭ１、及び第２外部部材１００−ＯＭ２を含む。表示パネル１００−ＤＰは、イメージを形成する複数個の画素と画素に連結された複数個の信号ラインとを含む。
【００７５】
第１外側部材１００−ＯＭ１は、表示パネル１００−ＤＰの表示面、即ち、イメージが表示される面上に配置され、第２外側部材１００−ＯＭ２は、表示パネル１００−ＤＰの表示面の反対面上に配置される。第１外側部材１００−ＯＭ１と表示パネル１００−ＤＰとは、第１光学用の透明接着フィルム（Ｏｐｔｉｃａｌｌｙ  Ｃｌｅａｒ  Ａｄｈｅｓｉｖｅ  ｆｉｌｍ）ＯＣＡ１によって結合され、第２外側部材１００−ＯＭ２と表示パネル１００−ＤＰとは、第２光学用の透明接着フィルム（Ｏｐｔｉｃａｌｌｙ  Ｃｌｅａｒ  Ａｄｈｅｓｉｖｅ  ｆｉｌｍ）ＯＣＡ２によって結合される。
【００７６】
第１外側部材１００−ＯＭ１は、複数個の機能性部材を含む。第１外側部材１００−ＯＭ１は、偏光板と位相遅延板とを含む光学部材、ウインドー部材と呼ばれる保護部材、及びタッチパネル等を含む。第２外側部材１００−ＯＭ２は、保護部材等を含む。保護部材は、プラスチックフィルム等を含む。その他に保護部材は、機能性コーティング層をさらに含んでもよい。機能性コーティング層は、指紋防止層、反射防止層、及びハードコーティング層等を含む。
【００７７】
図８及び図９に示したように、表示パネル１００−ＤＰは、有機発光表示パネルである。有機発光表示パネル１００−ＤＰは、ベース部材１００−ＢＳ、回路層１００−ＣＬ、素子層１００−ＥＬ、及び封止層１００−ＥＣＬを含む。
【００７８】
図８に示したように、ベース部材１００−ＢＳは、少なくとも一つのプラスチックフィルムを含む。ベース部材１００−ＢＳは、２つのプラスチックフィルム及びその間に配置された無機膜、シリコンナイトライド膜、及び／又はシリコン酸化物膜を含む。ベース部材１００−ＢＳは、ポリイミド（Ｐｏｌｙｉｍｉｄｅ、ＰＩ）、ポリエチレンテレフタレート（Ｐｏｌｙｅｔｈｙｌｅｎｅｔｅｒｅｐｈｔｈａｌａｔｅ、ＰＥＴ）、ポリエチレンナフタレート（Ｐｏｌｙｅｔｈｙｌｅｎｅｎａｐｈｔｈａｌａｔｅ、ＰＥＮ）、ポリエーテルスルホン（Ｐｏｌｙｅｔｈｅｒｓｕｌｐｈｏｎｅ、ＰＥＳ）、ガラス繊維強化プラスチック（Ｆｉｂｅｒ  ｒｅｉｎｆｏｒｃｅｄ  ｐｌａｓｔｉｃｓ、ＦＲＰ）のうちの少なくともいずれか一つを含む。
【００７９】
回路層１００−ＣＬは、複数個の信号ライン（未図示）及び電子素子を含む。尚、回路層１００−ＣＬは、信号ライン（未図示）と電子素子とを絶縁させる複数個の絶縁層を含む。本実施形態で信号ラインは、ゲートライン、データライン、及び電源ラインを含む。電子素子は、薄膜トランジスタ及びキャパシタを含む。
【００８０】
素子層１００−ＥＬは、発光素子を含む。本実施形態で発光素子は、有機発光素子ＯＬＥＤを含む。素子層１００−ＥＬは、有機発光素子を補助する構成（ｅｌｅｍｅｎｔ）をさらに含む。その他に素子層１００−ＥＬは、発光素子と発光素子を補助する構成を絶縁させるか、或いは構造的に分離させる絶縁層とをさらに含む。
【００８１】
封止層１００−ＥＣＬは、素子層１００−ＥＬを密封する。封止層１００−ＥＣＬは、ＴＦＥ（Ｔｈｉｎ  Ｆｉｌｍ  Ｅｎｃａｐｓｕｌａｔｉｏｎ  ｌａｙｅｒ）とも呼ばれ、一つ以上の無機薄膜又は一つ以上の有機薄膜を含み、無機薄膜と有機薄膜とが交互に積層された構造をさらに含む。本発明の一実施形態で封止層１００−ＥＣＬは、ガラス又はフィルムで代替される。ガラス又はフィルムを用いて封止基板を構成する場合、封止基板は、素子層１００−ＥＬを介してベース部材１００−ＢＳと離隔されて配置される。
【００８２】
図９に示したように、画素ＰＸは、少なくとも一つのトランジスタ、少なくとも一つのキャパシタ、及び有機発光素子を含む。第１トランジスタＴＦＴ１は、ゲートラインＧＬに印加されたゲート信号に応答してデータラインＤＬに印加されたデータ信号を出力する。キャパシタＣａｐは、第１トランジスタＴＦＴ１から受信したデータ信号に対応する電圧と電源ラインＰＬを通じて加えられた第１電源電圧ＥＬＶＤＤとの差に対応する電荷量を充電する。
【００８３】
第２トランジスタＴＦＴ２は、キャパシタＣａｐに格納された電荷量に対応して有機発光素子ＯＬＥＤに流れる駆動電流を制御する。キャパシタＣａｐに充電された電荷量にしたがって第２トランジスタＴＦＴ２のターン−オン時間が決定される。
【００８４】
ゲートラインＧＬ、データラインＤＬ、第１トランジスタＴＦＴ１、第２トランジスタＴＦＴ２、及びキャパシタＣａｐは、図８に図示された回路層１００−ＣＬに含まれる。有機発光素子ＯＬＥＤは、図８に図示された素子層１００−ＥＬに含まれる。
【００８５】
図１０Ａは、本発明の一実施形態によるフレキシブル表示モジュールのフォールディング領域の拡大断面図である。図１０Ｂは、図１０Ａの第１フォールディング軸の領域１００−Ｆ１に発生したストレスを示した断面図である。図１０Ｃは、図１０Ａの第３フォールディング軸の領域１００−Ｆ３に発生したストレスを示した断面図である。図１０Ｄは、曲率半径に沿う薄膜トランジスタのストレインを示したグラフである。
【００８６】
図１０Ａに図示されたフレキシブル表示モジュール１００の第３領域１００−Ｆは、図６Ａ乃至図６Ｅに図示されたフレキシブル表示モジュール１００の第３領域１００−Ｆに対応する。図示していないが、第２フォールディング軸の領域１００−Ｆ２に発生したストレスは、第３フォールディング軸の領域１００−Ｆ３と実質的に同一である。以下、図１０Ａ乃至図１０Ｄを参照して本実施形態によるフレキシブル表示モジュール１００を説明する。
【００８７】
図１０Ａに示したように、フレキシブル表示モジュール１００の第３領域１００−Ｆは、第１フォールディング軸の領域１００−Ｆ１、第２フォールディング軸の領域１００−Ｆ２、及び第３フォールディング軸の領域１００−Ｆ３を含む。第１フォールディング軸の領域１００−Ｆ１は、第１フォールディング軸ＦＸ１（図６Ａ参照）及び第１回転軸ＲＸ１（図６Ａ参照）に重畳する領域であり、第２フォールディング軸の領域１００−Ｆ２は、第２フォールディング軸ＦＸ２（図６Ａ参照）及び第２回転軸ＲＸ２（図６Ａ参照）に重畳する領域であり、第３フォールディング軸の領域１００−Ｆ３は、第３フォールディング軸ＦＸ３（図６Ａ参照）及び第３回転軸ＲＸ３（図６Ａ参照）に重畳する領域である。
【００８８】
第１外側部材１００−ＯＭ１は、第１平坦面１００−ＦＳ１を提供する第１部分１００−ＯＭ１１及び第１平坦面１００−ＦＳ１から突出された第２部分１００−ＯＭ１２を含む。第２部分１００−ＯＭ１２は、フォールディング軸の個数にしたがって複数個が具備される。図１０Ａは、２つの第２部分１００−ＯＭ１２を例示的に図示されている。
【００８９】
第１部分１００−ＯＭ１１と第２部分１００−ＯＭ１２との段差は、先に説明した光学部材、保護部材、及びタッチパネルのうちの少なくともいずれか一つによって形成される。第１部分１００−ＯＭ１１と第２部分１００−ＯＭ１２とは、一体の形状を有するか、或いは第２部分１００−ＯＭ１２が第１部分１００−ＯＭ１１上に設けられる。
【００９０】
第２外側部材１００−ＯＭ２は、第２平坦面１００−ＦＳ２を提供する第３部分１００−ＯＭ２１及び第２平坦面１００−ＦＳ２から突出された第４部分１００−ＯＭ２２を含む。第４部分１００−ＯＭ２２は、フォールディング軸の個数にしたがって複数個が具備される。図１０Ａは、一つの第４部分１００−ＯＭ２２を例示的に図示されている。
【００９１】
第３部分１００−ＯＭ２１と第４部分１００−ＯＭ２２との段差は、先に説明した保護部材によって形成される。第３部分１００−ＯＭ２１と第４部分１００−ＯＭ２２とは、一体の形状を有するか、或いは第２平坦面１００−ＦＳ２が第３部分１００−ＯＭ２１上に設けられる。
【００９２】
第１外側部材１００−ＯＭ１の第２部分１００−ＯＭ１２は、第２フォールディング軸の領域１００−Ｆ２、及び第３フォールディング軸の領域１００−Ｆ３に重畳する。第２外側部材１００−ＯＭ２の第４部分１００−ＯＭ２２は、第１フォールディング軸の領域１００−Ｆ１に重畳する。第２部分１００−ＯＭ１２と第４部分１００−ＯＭ２２とは、第２方向軸ＤＲ２に平行するライン形状を有する。
【００９３】
図１０Ｂに示したように、第１フォールディング軸の領域１００−Ｆ１が第１フォールディング軸ＦＸ１に基づいてインナーフォールディングされるとき、第１フォールディング軸の領域１００−Ｆ１に中立面（ＮＰ１、以下第１中立面）が発生する。第１中立面ＮＰ１は、ベース部材１００−ＢＳに隣接するように定義される。第３部分１００−ＯＭ２１より大きい厚さを有する第４部分１００−ＯＭ２２によって第１中立面ＮＰ１は、他の領域よりベース部材１００−ＢＳに隣接するようにシフトされる。したがって、回路層１００−ＣＬには圧縮力が加わる。
【００９４】
図１０Ｃに示したように、第３フォールディング軸の領域１００−Ｆ３が第３フォールディング軸ＦＸ３に基づいてアウターフォールディングされるとき、第３フォールディング軸の領域１００−Ｆ３に中立面（ＮＰ２、以下第２中立面）が発生する。第２中立面ＮＰ２は、封止層１００−ＥＣＬに隣接するように定義される。第１部分１００−ＯＭ１１より大きい厚さを有する第２部分１００−ＯＭ１２によって第２中立面ＮＰ２は、他の領域より封止層１００−ＥＣＬに隣接するようにシフトされる。したがって、回路層１００−ＣＬには圧縮力が加わる。
【００９５】
フォールディング方向に関わらず、回路層１００−ＣＬには引張力ではない圧縮力が加わる。回路層１００−ＣＬに具備された薄膜トランジスタは、同一の強さの引張力に比べて圧縮力に対する耐久性が高い。図１０Ｄは、これを裏付ける２つのシミュレーショングラフＧ１、Ｇ２を示している。第１グラフＧ１は、圧縮力が加えられた薄膜トランジスタのストレインを示し、第２グラフＧ２は、引張力が加えられた薄膜トランジスタのストレインを示す。曲率半径が小さくなることによってさらに大きいストレインが発生する。３ｍｍ以上の曲率半径でフレキシブル表示モジュールがフォールディングされたとき、引張力によるストレインは、薄膜トランジスタを破壊させた。それに反して、薄膜トランジスタは、３ｍｍ以上の曲率半径で発生した圧縮力を耐えた。本実施形態によれば、フォールディング方向に関わらず第３領域１００−Ｆ３の回路層１００−ＣＬには引張力ではない圧縮力が加わることによって薄膜トランジスタの損傷を減少させることができる。
【００９６】
図１１Ａは、本発明の一実施形態によるフレキシブル表示モジュールのフォールディング領域の拡大断面図である。図１１Ｂは、本発明の一実施形態によるフレキシブル表示モジュールのフォールディング領域の拡大断面図である。図１１Ａ及び図１１Ｂは、図１０Ａに対応する断面を図示している。以下、本実施形態によるフレキシブル表示モジュールを説明する。但し、図１０Ａ乃至１０ｄを参照して説明した構成と同一の構成に対する詳細な説明とは、省略する。
【００９７】
図１１Ａに示したように、第１外側部材１００−ＯＭ１は、第１部分１００−ＯＭ１１及び第２部分１００−ＯＭ１２を含む。第２部分１００−ＯＭ１２は、第１平坦面１００−ＦＳ１から突出された第３平坦面ＦＳ及び第１平坦面１００−ＦＳ１と第３平坦面ＦＳを連結する傾斜面ＩＳを含む。
【００９８】
第２外側部材１００−ＯＭ２は、第３部分１００−ＯＭ２１及び第４部分１００−ＯＭ２２を含む。第４部分１００−ＯＭ２２は、第２平坦面１００−ＦＳ２から突出された第４平坦面ＦＳ及び第２平坦面１００−ＦＳ２と第４平坦面ＦＳを連結する傾斜面ＩＳを含む。
【００９９】
第２部分１００−ＯＭ１２と第４部分１００−ＯＭ２２とは、断面視において第１部分１００−ＯＭ１１と第３部分１００−ＯＭ２１とに対して漸次的に変化するテーパー形状を有することによってこれらの境界が緩和される。したがって、第１及び第２外側部材１００−ＯＭ１、１００−ＯＭ２の段差付きの形状が使用者に認識されないこともあり得る。
【０１００】
図１１Ｂに示したように、第２部分１００−ＯＭ１２と第４部分１００−ＯＭ２２との各々には少なくとも一つのグルーブＧＶが定義されてもよい。グルーブＧＶは、第２方向軸ＤＲ２に平行に設けられる。グルーブＧＶは、ストライプ形状を有するか、或いは第２方向軸ＤＲ２に沿って羅列されたサブグルーブ（離散的に配置された連続しない溝形状）を含む。
【０１０１】
グルーブＧＶは、第１及び第２外側部材１００−ＯＭ１、１００−ＯＭ２の第１フォールディング軸の領域１００−Ｆ１、第２フォールディング軸の領域１００−Ｆ２、及び第３フォールディング軸の領域１００−Ｆ３のモジュラス（引っ張り応力）を減少させる。グルーブＧＶが第１フォールディング軸の領域１００−Ｆ１、第２フォールディング軸の領域１００−Ｆ２、及び第３フォールディング軸の領域１００−Ｆ３のモジュラスを制御することによって、第１中立面ＮＰ１（図１０Ｂ参照）がベース部材１００−ＢＳに過度にシフトされることを防止し、第２中立面ＮＰ２が封止層１００−ＥＣＬに過度にシフトされることを防止することができる。
【０１０２】
以上では本発明の望ましい実施形態を参照して説明したが、該当技術分野の熟練された当業者又は該当技術分野に通常の知識を有する者であれば、後述される特許請求の範囲に記載された本発明の思想及び技術領域から逸脱しない範囲内で本発明を多様に修正及び変形できることは、理解できる。
【０１０３】
したがって、本発明の技術的範囲は、明細書の詳細な説明に記載された内容に限定されることではなく、特許請求の範囲によって定まれなければならない。
【符号の説明】
【０１０４】
１００：表示モジュール
２００：ハウジング
２１０：第１ボディー部
２２０：第２ボディー部
２３０：第３ボディー部
２４０：第４ボディー部
１００−ＯＭ１：第１外側部材
１００−ＯＭ２：第２外側部材
１００−ＤＲ１：第１領域
１００−ＤＲ２：第２領域
１００−ＤＲ３：第３領域
１００−ＤＰ：表示パネル
ＤＡ１：第１表示領域
ＤＡ２：第２表示領域
ＤＡ３：第３表示領域
ＦＡ：フォールディング領域
ＩＭ：イメージ
ＤＳ：表示面
ＲＸ１：第１回転軸
ＲＸ２：第２回転軸
ＲＸ３：第３回転軸
１００−ＣＬ：回路層
１００−ＥＣＬ：封止層
１００−ＥＬ：素子層
１００−ＢＳ：ベース部材
【図１Ａ】
2020095281.tif 000003
【図１Ｂ】
2020095281.tif 000004
【図１Ｃ】
2020095281.tif 000005
【図２Ａ】
2020095281.tif 000006
【図２Ｂ】
2020095281.tif 000007
【図２Ｃ】
2020095281.tif 000008
【図３Ａ】
2020095281.tif 000009
【図３Ｂ】
2020095281.tif 000010
【図３Ｃ】
2020095281.tif 000011
【図４Ａ】
2020095281.tif 000012
【図４Ｂ】
2020095281.tif 000013
【図４Ｃ】
2020095281.tif 000014
【図５Ａ】
2020095281.tif 000015
【図５Ｂ】
2020095281.tif 000016
【図５Ｃ】
2020095281.tif 000017
【図６Ａ】
2020095281.tif 000018
【図６Ｂ】
2020095281.tif 000019
【図６Ｃ】
2020095281.tif 000020
【図６Ｄ】
2020095281.tif 000021
【図６Ｅ】
2020095281.tif 000022
【図７】
2020095281.tif 000023
【図８】
2020095281.tif 000024
【図９】
2020095281.tif 000025
【図１０Ａ】
2020095281.tif 000026
【図１０Ｂ】
2020095281.tif 000027
【図１０Ｃ】
2020095281.tif 000028
【図１０Ｄ】
2020095281.tif 000029
【図１１Ａ】
2020095281.tif 000030
【図１１Ｂ】
2020095281.tif 000031